(57)【要約】  本発明の実施例は、データを伝送する方法、端末装置及びネットワーク装置を提供し、該方法は、ネットワーク装置は指示情報を生成し、該指示情報は第1のインターフェース、該第1のインターフェースのタイプ、該第1のインターフェースのタイプを確定するための準則、少なくとも1つのインターフェースタイプで該第1のインターフェースを確定するための準則、のうちの少なくとも1つを指示するためのものであることと、該ネットワーク装置は該端末装置に該指示情報を送信し、それにより該端末装置は該指示情報に基づいて該第1のインタフェースでアイドル状態に入り又は維持することと、を含む。本発明の実施例によるデータを伝送する方法は、適切なインターフェースを選択してアイドル状態に入り又は維持することができる。
2020519064.tif 000002
【特許請求の範囲】
【請求項１】
ネットワーク装置は指示情報を生成し、前記指示情報は、第1のインターフェース、前記第1のインターフェースのタイプ、前記第1のインターフェースのタイプを確定するための準則、少なくとも1つのインターフェースタイプで前記第1のインターフェースを確定するための準則、のうちの少なくとも1つを指示するためのものであることと、
前記ネットワーク装置は前記端末装置に前記指示情報を送信し、それにより前記端末装置は前記指示情報に基づいて前記第1のインタフェースでアイドル状態に入り又は維持することと、を含むことを特徴とするデータを伝送する方法。
【請求項２】
前記指示情報は、
前記第1のインタフェースのタイプがUuタイプであること、
前記第1のインタフェースのタイプがPC5タイプであること、
前記第1のインタフェースのタイプがUuタイプとPC5タイプであること、のいずれか1つを指示するためのものであることを特徴とする請求項1に記載の方法。
【請求項３】
前記準則はインタフェースパラメータ閾値を含み、前記インタフェースパラメータ閾値は参照信号受信電力RSRP閾値又は参照信号受信品質RSRQ閾値であることを特徴とする請求項1又は2に記載の方法。
【請求項４】
前記第1のインターフェースのタイプを確定するための準則は、
複数のインタフェースタイプのうち、前記第1のインタフェースのタイプを確定するためのインタフェースパラメータ閾値又はインタフェースパラメータ閾値のセットを含むことを特徴とする請求項1〜3のいずれか1項に記載の方法。
【請求項５】
前記複数のインタフェースタイプは、前記端末装置と前記ネットワーク装置との間のインタフェースタイプ、及び前記端末装置と他の端末装置との間のインタフェースタイプを含むことを特徴とする請求項4に記載の方法。
【請求項６】
前記複数のインタフェースタイプは、UuタイプとPC5タイプを含むことを特徴とする請求項4又は5に記載の方法。
【請求項７】
前記少なくとも1つのインターフェースタイプで前記第1のインターフェースを確定するための準則は、
第1のインタフェースタイプの複数のインタフェースのうち、前記第1のインタフェースを確定するためのインタフェースパラメータ閾値を含むことを特徴とする請求項1〜6のいずれか1項に記載の方法。
【請求項８】
前記第1のインターフェースタイプはPC5タイプであることを特徴とする請求項7に記載の方法。
【請求項９】
前記第1のインタフェースのインタフェースパラメータは、前記第1のインタフェースを確定するためのインタフェースパラメータ閾値以上であることを特徴とする請求項7又は8に記載の方法。
【請求項１０】
前記指示情報は、前記第1のインタフェースが、特定周波数での特定タイプのインターフェース、特定無線アクセスタイプRATでのインターフェース、特定セルでのインターフェース、特定トラッキングエリアでの特定タイプのインターフェース、特定アドレス表記での特定タイプのインターフェース、という条件のうちの少なくとも1つを満たすインタフェースであることを指示するためのものであることを特徴とする請求項1〜9のいずれか1項に記載の方法。
【請求項１１】
前記特定タイプはPC5タイプであることを特徴とする請求項10に記載の方法。
【請求項１２】
前記ネットワーク装置が指示情報を生成する前に、前記方法は更に、
ネットワーク装置は前記端末装置が送信した測定レポートを受信し、前記測定レポートは、複数のインタフェースタイプでのインタフェースに対する前記端末装置の測定結果を含むことと、
前記ネットワーク装置は前記測定レポートに基づいて前記指示情報を生成することと、を含むことを特徴とする請求項1〜11のいずれか1項に記載の方法。
【請求項１３】
前記少なくとも1つのインターフェースタイプで前記第1のインターフェースを確定するための準則はオフセット閾値を含み、前記第1のインタフェースのインタフェースパラメータと現在のインタフェースのインタフェースパラメータとの間の差が前記オフセット閾値以上である場合、前記第1のインタフェースに切り替えるように前記端末装置に指示することに用いられる請求項1〜12のいずれか1項に記載の方法。
【請求項１４】
端末装置はネットワーク装置が送信した指示情報を受信し、前記指示情報は、第1のインターフェース、前記第1のインターフェースのタイプ、前記第1のインターフェースのタイプを確定するための準則、少なくとも1つのインターフェースタイプで前記第1のインターフェースを確定するための準則、のうちの少なくとも1つを指示するためのものであることと、
前記端末装置は前記指示情報に基づいて前記第1のインタフェースでアイドル状態に入り又は維持することと、を含むことを特徴とするデータを送信する方法。
【請求項１５】
前記端末装置は少なくとも1つのUuインターフェース及び/又は少なくとも1つのPC5インターフェースを有することを特徴とする請求項14に記載の方法。
【請求項１６】
前記指示情報は、
前記第1のインタフェースのタイプがUuタイプであること、
前記第1のインタフェースのタイプがPC5タイプであること、
前記第1のインタフェースのタイプがUuタイプとPC5タイプであること、のいずれか1つを指示するためのものであることを特徴とする請求項14又は15に記載の方法。
【請求項１７】
前記準則はインタフェースパラメータ閾値を含み、前記インタフェースパラメータ閾値は参照信号受信電力RSRP閾値又は参照信号受信品質RSRQ閾値であることを特徴とする請求項14〜16のいずれか1項に記載の方法。
【請求項１８】
前記端末装置が前記指示情報に基づいて前記第1のインタフェースでアイドル状態に入り又は維持することは、
前記端末装置は前記指示情報に基づいて、前記少なくとも1つのUuインターフェース及び/又は前記少なくとも1つのPC5インターフェースにおいて、前記第1のインターフェースを確定することと、
前記端末装置は前記第1のインタフェースでアイドル状態に入り又は維持することと、を含むことを特徴とする請求項14〜17のいずれか1項に記載の方法。
【請求項１９】
前記端末装置が前記指示情報に基づいて、前記少なくとも1つのUuインターフェース及び/又は前記少なくとも1つのPC5インターフェースにおいて、前記第1のインターフェースを確定することは、
前記端末装置は前記指示情報に基づいて、UuタイプとPC5タイプにおいて、前記第1のインタフェースのタイプを確定することと、
前記端末装置は前記第1のインタフェースのタイプで、前記第1のインタフェースを確定することと、を含むことを特徴とする請求項18に記載の方法。
【請求項２０】
前記第1のインターフェースのタイプを確定するための準則は、
複数のインタフェースタイプのうち、前記第1のインタフェースのタイプを確定するためのインタフェースパラメータ閾値又はインタフェースパラメータ閾値のセットを含むことを特徴とする請求項14〜19のいずれか1項に記載の方法。
【請求項２１】
前記複数のインタフェースタイプは、前記端末装置と前記ネットワーク装置との間のインタフェースタイプ、及び前記端末装置と他の端末装置との間のインタフェースタイプを含むことを特徴とする請求項20に記載の方法。
【請求項２２】
前記複数のインタフェースタイプは、UuタイプとPC5タイプを含むことを特徴とする請求項20又は21に記載の方法。
【請求項２３】
前記少なくとも1つのインターフェースタイプで前記第1のインターフェースを確定するための準則は、
第1のインタフェースタイプの複数のインタフェースのうち、前記第1のインタフェースを確定するためのインタフェースパラメータ閾値を含むことを特徴とする請求項14〜22のいずれか1項に記載の方法。
【請求項２４】
前記第1のインターフェースタイプはPC5タイプであることを特徴とする請求項23に記載の方法。
【請求項２５】
前記第1のインタフェースのインタフェースパラメータは、前記第1のインタフェースを確定するためのインタフェースパラメータ閾値以上であることを特徴とする請求項23又は24に記載の方法。
【請求項２６】
前記指示情報は、前記第1のインタフェースが、特定周波数での特定タイプのインターフェース、特定無線アクセスタイプRATでのインターフェース、特定セルでのインターフェース、特定トラッキングエリアでの特定タイプのインターフェース、特定アドレス表記での特定タイプのインターフェース、という条件のうちの少なくとも1つを満たすインタフェースであることを指示するためのものであることを特徴とする請求項14〜25のいずれか1項に記載の方法。
【請求項２７】
前記端末装置がネットワーク装置の送信した指示情報を受信する前に、前記方法は更に、
前記端末装置は前記ネットワーク装置に測定レポートを送信し、前記測定レポートは、複数のインタフェースタイプでのインタフェースに対する前記端末装置の測定結果を含む、ことを含むことを特徴とする請求項14〜26のいずれか1項に記載の方法。
【請求項２８】
前記少なくとも1つのインターフェースタイプで前記第1のインターフェースを確定するための準則はオフセット閾値を含み、前記第1のインタフェースのインタフェースパラメータと現在のインタフェースのインタフェースパラメータとの間の差が前記オフセット閾値以上である場合、前記第1のインタフェースに切り替えるように前記端末装置に指示することに用いられる請求項14〜27のいずれか1項に記載の方法。
【請求項２９】
指示情報を生成することに用いられ、前記指示情報は、第1のインターフェース、前記第1のインターフェースのタイプ、前記第1のインターフェースのタイプを確定するための準則、少なくとも1つのインターフェースタイプで前記第1のインターフェースを確定するための準則、のうちの少なくとも1つを指示するためのものである、処理ユニットと、
前記端末装置に前記指示情報を送信することに用いられ、それにより前記端末装置は前記指示情報に基づいて前記第1のインタフェースでアイドル状態に入り又は維持する、送受信ユニットと、を備えることを特徴とするデータを伝送するネットワーク装置。
【請求項３０】
前記指示情報は、
前記第1のインタフェースのタイプがUuタイプであること、
前記第1のインタフェースのタイプがPC5タイプであること、
前記第1のインタフェースのタイプがUuタイプとPC5タイプであること、のいずれか1つを指示するためのものであることを特徴とする請求項29に記載のネットワーク装置。
【請求項３１】
前記準則はインタフェースパラメータ閾値を含み、前記インタフェースパラメータ閾値は参照信号受信電力RSRP閾値又は参照信号受信品質RSRQ閾値であることを特徴とする請求項29又は30に記載のネットワーク装置。
【請求項３２】
前記第1のインターフェースのタイプを確定するための準則は、
複数のインタフェースタイプのうち、前記第1のインタフェースのタイプを確定するためのインタフェースパラメータ閾値又はインタフェースパラメータ閾値のセットを含むことを特徴とする請求項29〜31のいずれか1項に記載のネットワーク装置。
【請求項３３】
前記複数のインタフェースタイプは、前記端末装置と前記ネットワーク装置との間のインタフェースタイプ、及び前記端末装置と他の端末装置との間のインタフェースタイプを含むことを特徴とする請求項32に記載のネットワーク装置。
【請求項３４】
前記複数のインタフェースタイプは、UuタイプとPC5タイプを含むことを特徴とする請求項32又は33に記載のネットワーク装置。
【請求項３５】
前記少なくとも1つのインターフェースタイプで前記第1のインターフェースを確定するための準則は、
第1のインタフェースタイプの複数のインタフェースのうち、前記第1のインタフェースを確定するためのインタフェースパラメータ閾値を含むことを特徴とする請求項29〜34のいずれか1項に記載のネットワーク装置。
【請求項３６】
前記第1のインターフェースタイプはPC5タイプであることを特徴とする請求項35に記載のネットワーク装置。
【請求項３７】
前記第1のインタフェースのインタフェースパラメータは、前記第1のインタフェースを確定するためのインタフェースパラメータ閾値以上であることを特徴とする請求項35又は36に記載のネットワーク装置。
【請求項３８】
前記指示情報は、前記第1のインタフェースが、特定周波数での特定タイプのインターフェース、特定無線アクセスタイプRATでのインターフェース、特定セルでのインターフェース、特定トラッキングエリアでの特定タイプのインターフェース、特定アドレス表記での特定タイプのインターフェース、という条件のうちの少なくとも1つを満たすインタフェースであることを指示するためのものであることを特徴とする請求項29〜37のいずれか1項に記載のネットワーク装置。
【請求項３９】
前記特定タイプはPC5タイプであることを特徴とする請求項38に記載のネットワーク装置。
【請求項４０】
前記ネットワーク装置が指示情報を生成する前に、前記送受信ユニットは更に、前記端末装置が送信した測定レポートを受信することに用いられ、前記測定レポートは、複数のインタフェースタイプでのインタフェースに対する前記端末装置の測定結果を含み、
前記処理ユニットは、前記測定レポートに基づいて指示情報を生成することに用いられることを特徴とする請求項29〜39のいずれか1項に記載のネットワーク装置。
【請求項４１】
前記少なくとも1つのインターフェースタイプで前記第1のインターフェースを確定するための準則はオフセット閾値を含み、前記第1のインタフェースのインタフェースパラメータと現在のインタフェースのインタフェースパラメータとの間の差が前記オフセット閾値以上である場合、前記第1のインタフェースに切り替えるように前記端末装置に指示することに用いられる請求項29〜40のいずれか1項に記載のネットワーク装置。
【請求項４２】
ネットワーク装置が送信した指示情報を受信することに用いられ、前記指示情報は、第1のインターフェース、前記第1のインターフェースのタイプ、前記第1のインターフェースのタイプを確定するための準則、少なくとも1つのインターフェースタイプで前記第1のインターフェースを確定するための準則、のうちの少なくとも1つを指示するためのものである、送受信ユニットと、
前記指示情報に基づいて前記第1のインタフェースでアイドル状態に入り又は維持することに用いられる処理ユニットと、を備えることを特徴とするデータを伝送する端末装置。
【請求項４３】
前記端末装置は少なくとも1つのUuインターフェース及び/又は少なくとも1つのPC5インターフェースを有することを特徴とする請求項42に記載の端末装置。
【請求項４４】
前記指示情報は、
前記第1のインタフェースのタイプがUuタイプであること、
前記第1のインタフェースのタイプがPC5タイプであること、
前記第1のインタフェースのタイプがUuタイプとPC5タイプであること、のいずれか1つを指示するためのものであることを特徴とする請求項42又は43に記載の端末装置。
【請求項４５】
前記処理ユニットは具体的に、
前記端末装置は前記指示情報に基づいて、前記少なくとも1つのUuインターフェース及び/又は前記少なくとも1つのPC5インターフェースにおいて、前記第1のインターフェースを確定することと、
前記端末装置は前記第1のインタフェースでアイドル状態に入り又は維持することと、に用いられることを特徴とする請求項42〜44のいずれか1項に記載の端末装置。
【請求項４６】
前記処理ユニットは具体的に、
前記端末装置は前記指示情報に基づいて、UuタイプとPC5タイプにおいて、前記第1のインタフェースのタイプを確定することと、
前記端末装置は前記第1のインタフェースのタイプで、前記第1のインタフェースを確定することと、に用いられることを特徴とする請求項45に記載の端末装置。
【請求項４７】
前記準則はインタフェースパラメータ閾値を含み、前記インタフェースパラメータ閾値は参照信号受信電力RSRP閾値又は参照信号受信品質RSRQ閾値であることを特徴とする請求項42〜46のいずれか1項に記載の端末装置。
【請求項４８】
前記第1のインターフェースのタイプを確定するための準則は、
複数のインタフェースタイプのうち、前記第1のインタフェースのタイプを確定するためのインタフェースパラメータ閾値又はインタフェースパラメータ閾値のセットを含むことを特徴とする請求項42〜47のいずれか1項に記載の端末装置。
【請求項４９】
前記複数のインタフェースタイプは、前記端末装置と前記ネットワーク装置との間のインタフェースタイプ、及び前記端末装置と他の端末装置との間のインタフェースタイプを含むことを特徴とする請求項48に記載の端末装置。
【請求項５０】
前記複数のインタフェースタイプは、UuタイプとPC5タイプを含むことを特徴とする請求項48又は49に記載の端末装置。
【請求項５１】
前記少なくとも1つのインターフェースタイプで前記第1のインターフェースを確定するための準則は、
第1のインタフェースタイプの複数のインタフェースのうち、前記第1のインタフェースを確定するためのインタフェースパラメータ閾値を含むことを特徴とする請求項42〜50のいずれか1項に記載の端末装置。
【請求項５２】
前記第1のインターフェースタイプはPC5タイプであることを特徴とする請求項51に記載の端末装置。
【請求項５３】
前記処理ユニットは具体的に、
前記端末装置は前記第1のインタフェースを確定するためのインタフェースパラメータ閾値以上のインタフェースパラメータに対応するインタフェースを、前記第1のインタフェースとして確定することに用いられることを特徴とする請求項51又は52に記載の端末装置。
【請求項５４】
前記指示情報は、前記第1のインタフェースが、特定周波数での特定タイプのインターフェース、特定無線アクセスタイプRATでのインターフェース、特定セルでのインターフェース、特定トラッキングエリアでの特定タイプのインターフェース、特定アドレス表記での特定タイプのインターフェース、という条件のうちの少なくとも1つを満たすインタフェースであることを指示するためのものであることを特徴とする請求項42〜53のいずれか1項に記載の端末装置。
【請求項５５】
前記特定タイプはPC5タイプであることを特徴とする請求項54に記載の端末装置。
【請求項５６】
前記端末装置がネットワーク装置の送信した指示情報を受信する前に、前記送受信ユニットは更に、前記端末装置が前記ネットワーク装置に測定レポートを送信することに用いられ、前記測定レポートは、複数のインタフェースタイプでのインタフェースに対する前記端末装置の測定結果を含むことを特徴とする請求項42〜55のいずれか1項に記載の端末装置。
【請求項５７】
前記少なくとも1つのインターフェースタイプで前記第1のインターフェースを確定するための準則はオフセット閾値を含み、前記第1のインタフェースのインタフェースパラメータと現在のインタフェースのインタフェースパラメータとの間の差が前記オフセット閾値以上である場合、前記第1のインタフェースに切り替えるように前記端末装置に指示することに用いられる請求項42〜56のいずれか1項に記載の端末装置。
【請求項５８】
請求項1〜13のいずれか1項に記載のデータを伝送する方法をネットワーク装置に実行させるプログラムが記憶されるコンピュータ読み取り可能な記憶媒体。
【請求項５９】
請求項14〜28のいずれか1項に記載のデータを伝送する方法を端末装置に実行させるプログラムが記憶されるコンピュータ読み取り可能な記憶媒体。
【請求項６０】
指令を含み、コンピュータで前記指令が実行される場合、請求項1〜28のいずれか1項に記載のデータを伝送する方法をコンピュータに実行させるコンピュータプログラム製品。
【発明の詳細な説明】
【技術分野】
【０００１】
本発明の実施例は通信分野に関し、より具体的に、データを伝送する方法、端末装置及びネットワーク装置に関する。
【背景技術】
【０００２】
ロングタームエボリューション（Long Term Evolution、LTE）技術では、無線リソース制御（Radio Resource Control、RRC）の接続は明示的又は暗黙的にリリースされてもよく、明示的にリリースされるシグナリングはRRC接続リリースシグナリング（RRC Connection Release）であり、基地局（eNB）からユーザ装置（User Equipment、UE）に送信され、そのトリガ条件はチャネル条件の悪化又は現在のセッションの終了であってもよい。
【０００３】
しかし、端末には通信の際に複数のインタフェースが存在する可能性があるため、端末装置がRRC接続リリースを行う際に、どのように適切なインタフェースを選択してアイドル状態に入り又は維持するかは、解決すべき問題である。
【発明の概要】
【発明が解決しようとする課題】
【０００４】
本発明の実施例では、データを伝送する方法、端末装置及びネットワーク装置を提供する。適切なインタフェースを選択して、アイドル状態に入り又は維持することができる。
【課題を解決するための手段】
【０００５】
第1の態様では、データを伝送する方法を提供し、前記方法は、
ネットワーク装置は指示情報を生成し、前記指示情報は、第1のインターフェース、前記第1のインターフェースのタイプ、少なくとも1つのタイプで前記第1のインターフェースを確定するための準則、前記第1のインターフェースのタイプを確定するための準則、のうちの少なくとも1つを指示するためのものであることと、
前記ネットワーク装置は前記端末装置に前記指示情報を送信し、それにより前記端末装置は前記指示情報に基づいて前記第1のインタフェースでアイドル状態に入り又は維持することと、を含む。
【０００６】
本発明の実施例において、端末装置はネットワーク装置が送信した指示情報によって、異なるインタフェースで端末装置にアイドル状態に入らせ又は維持させることができる。
【０００７】
幾つかの可能な実現方式において、前記指示情報は更に、接続状態からアイドル状態の第2のインタフェースに切り替えるように接続状態にある端末装置に指示することに用いられる。
【０００８】
幾つかの可能な実現方式において、前記端末装置は少なくとも1つのUuインターフェース及び/又は少なくとも1つのPC5インターフェースを有する。
【０００９】
本発明の実施例において、端末装置はネットワーク装置が送信した指示情報によって、Uuインタフェース又はPC5インタフェースで端末装置にアイドル状態に入らせ又は維持させることができる。
【００１０】
幾つかの可能な実現方式において、前記指示情報は、
前記第1のインタフェースのタイプがUuタイプであること、
前記第1のインタフェースのタイプがPC5タイプであること、
前記第1のインタフェースのタイプがUuタイプとPC5タイプであること、のいずれか1つを指示するためのものである。
【００１１】
幾つかの可能な実現方式において、前記準則はインタフェースパラメータ閾値を含み、前記インタフェースパラメータ閾値は参照信号受信電力RSRP閾値又は参照信号受信品質RSRQ閾値である。
【００１２】
幾つかの可能な実現方式において、前記第1のインターフェースのタイプを確定するための準則は、
複数のタイプのうち、前記第1のインタフェースのタイプを確定するためのインタフェースパラメータ閾値又はインタフェースパラメータ閾値のセットを含む。
【００１３】
幾つかの可能な実現方式において、前記少なくとも1つのPC5インターフェースに対応する少なくとも1つの数値のうちの最大値は第1の数値であり、前記少なくとも1つのUuインターフェースに対応する少なくとも1つの数値のうちの最大値は第2の数値であり、
前記第1の数値が前記第1のインタフェースのタイプを確定するためのインタフェースパラメータ閾値以上であり、且つ前記第2の数値が前記第1のインタフェースのタイプを確定するためのインタフェースパラメータ閾値以下である場合、前記第1のインタフェースのタイプはPC5タイプであり、
前記第1の数値が前記第1のインタフェースのタイプを確定するためのインタフェースパラメータ閾値以上であり、且つ前記第2の数値が前記第1のインタフェースのタイプを確定するためのインタフェースパラメータ閾値以下である場合、前記第1のインタフェースのタイプはUuタイプであり、
前記第1の数値が前記第1のインタフェースのタイプを確定するためのインタフェースパラメータ閾値以上であり、且つ前記第2の数値が前記第1のインタフェースのタイプを確定するためのインタフェースパラメータ閾値以上である場合、前記第1のインタフェースのタイプは、前記第1の数値と前記第2の数値のうちの最大値に対応するインタフェースのタイプである。
【００１４】
幾つかの可能な実現方式において、前記第1のインターフェースのタイプを確定するためのインタフェースパラメータ閾値のセットは、
PC5タイプに対応する第1のインタフェースパラメータ閾値と第2のインタフェースパラメータ閾値、Uuタイプに対応する第3のインタフェースパラメータ閾値と第4のインタフェースパラメータ閾値を含み、前記第1のインタフェースパラメータ閾値は前記第2のインタフェースパラメータ閾値よりも大きく、前記第3のインタフェースパラメータ閾値は前記第4のインタフェースパラメータ閾値よりも大きい。
【００１５】
幾つかの可能な実現方式において、前記少なくとも1つのPC5インターフェースに対応する少なくとも1つの数値のうちの最大値は第1の数値であり、前記少なくとも1つのUuインターフェースに対応する少なくとも1つの数値のうちの最大値は第2の数値であり、
前記第1の数値が前記第1のインタフェースパラメータ閾値以上であり、且つ前記第2の数値が前記第4のインタフェースパラメータ閾値以下である場合、前記第1のインタフェースのタイプはPC5タイプであり、
前記第1の数値が前記第2のインタフェースパラメータ閾値以下であり、且つ前記第2の数値が前記第3のインタフェースパラメータ閾値以上である場合、前記第1のインタフェースのタイプはUuタイプであり、
前記第1の数値が前記第1のインタフェースパラメータ閾値以上であり、且つ前記第2の数値が前記第3のインタフェースパラメータ閾値以上である場合、前記第1のインタフェースのタイプは、前記第1の数値と前記第2の数値のうちの最大値に対応するインタフェースのタイプである。
【００１６】
幾つかの可能な実現方式において、前記複数のタイプは、前記端末装置と前記ネットワーク装置との間のインタフェースタイプ、及び前記端末装置と他の端末装置との間のインタフェースタイプを含む。
【００１７】
幾つかの可能な実現方式において、前記複数のインタフェースタイプはUuタイプとPC5タイプを含む。
【００１８】
幾つかの可能な実現方式において、前記第1のインターフェースを確定するための準則は、
第1のタイプの複数のインタフェースのうち、前記第1のインタフェースを確定するためのインタフェースパラメータ閾値を含む。
【００１９】
幾つかの可能な実現方式において、前記第1のタイプはPC5タイプである。
【００２０】
幾つかの可能な実現方式において、前記第1のインタフェースのインタフェースパラメータは、前記第1のインタフェースを確定するためのインタフェースパラメータ閾値以上である。
【００２１】
幾つかの可能な実現方式において、前記指示情報は、前記第1のインタフェースが、特定周波数での特定タイプのインターフェース、特定無線アクセスタイプRATでのインターフェース、特定セルでのインターフェース、特定トラッキングエリアでのPC5インターフェース、特定アドレス表記でのPC5インターフェース、という条件のうちの少なくとも1つを満たすインタフェースであることを指示するためのものである。
【００２２】
幾つかの可能な実現方式において、前記特定タイプはPC5タイプである。
【００２３】
幾つかの可能な実現方式において、前記ネットワーク装置が指示情報を生成する前に、  前記方法は更に、
ネットワーク装置は前記端末装置が送信した測定レポートを受信し、前記測定レポートは、少なくとも1つのPC5インタフェースと少なくとも1つのUuインタフェースに対する前記端末装置の測定結果を含むことと、
前記ネットワーク装置は前記測定レポートに基づいて前記指示情報を生成することと、を含む。
【００２４】
幾つかの可能な実現方式において、前記少なくとも1つのタイプで前記第1のインターフェースを確定するための準則はオフセット閾値を含み、前記第1のインタフェースのインタフェースパラメータと現在のインタフェースのインタフェースパラメータとの間の差が前記オフセット閾値以上である場合、前記第1のインタフェースに切り替えるように前記端末装置に指示することに用いられる。
【００２５】
本発明の実施例において、端末装置はネットワーク装置が送信した指示情報によって、アイドル状態のインタフェースを変更するように端末装置に指示する。
【００２６】
第2の態様では、データを伝送する方法を提供し、前記方法は、
端末装置はネットワーク装置が送信した指示情報を受信し、前記指示情報は、第1のインターフェース、前記第1のインターフェースのタイプ、少なくとも1つのタイプで前記第1のインターフェースを確定するための準則、前記第1のインターフェースのタイプを確定するための準則、のうちの少なくとも1つを指示するためのものであることと、
前記端末装置は前記指示情報に基づいて前記第1のインタフェースでアイドル状態に入り又は維持することと、を含む。
【００２７】
幾つかの可能な実現方式において、前記指示情報は更に、接続状態からアイドル状態の第2のインタフェースに切り替えるように接続状態にある端末装置に指示することに用いられる。
【００２８】
幾つかの可能な実現方式において、前記指示情報は、
前記第1のインタフェースのタイプがUuタイプであること、
前記第1のインタフェースのタイプがPC5タイプであること、
前記第1のインタフェースのタイプがUuタイプとPC5タイプであること、のいずれか1つを指示するためのものである。
【００２９】
幾つかの可能な実現方式において、前記端末装置は少なくとも1つのUuインターフェース及び/又は少なくとも1つのPC5インターフェースを有する。
【００３０】
幾つかの可能な実現方式において、前記端末装置が前記指示情報に基づいて前記第1のインタフェースでアイドル状態に入り又は維持することは、
前記端末装置は前記指示情報に基づいて、前記少なくとも1つのUuインターフェース及び/又は前記少なくとも1つのPC5インターフェースにおいて、前記第1のインターフェースを確定することと、
前記端末装置は前記第1のインタフェースでアイドル状態に入り又は維持することと、を含む。
【００３１】
幾つかの可能な実現方式において、前記端末装置が前記指示情報に基づいて、前記少なくとも1つのUuインターフェース及び/又は前記少なくとも1つのPC5インターフェースにおいて、前記第1のインターフェースを確定することは、
前記端末装置は前記指示情報に基づいて、UuタイプとPC5タイプにおいて、前記第1のインタフェースのタイプを確定することと、
前記端末装置は前記第1のインタフェースのタイプで、前記第1のインタフェースを確定することと、を含む。
【００３２】
幾つかの可能な実現方式において、前記準則はインタフェースパラメータ閾値を含み、前記インタフェースパラメータ閾値は参照信号受信電力RSRP閾値又は参照信号受信品質RSRQ閾値である。
【００３３】
幾つかの可能な実現方式において、前記第1のインターフェースのタイプを確定するための準則は、
複数のタイプのうち、前記第1のインタフェースのタイプを確定するためのインタフェースパラメータ閾値又はインタフェースパラメータ閾値のセットを含む。
【００３４】
幾つかの可能な実現方式において、前記端末装置が前記指示情報に基づいて、UuタイプとPC5タイプにおいて、前記第1のインタフェースのタイプを確定することは、
前記端末装置は、前記少なくとも1つのPC5インターフェースに対応する少なくとも1つの数値において、最大値を第1の数値に確定することと、
前記端末装置は、前記少なくとも1つのUuインタフェースに対応する少なくとも1つの数値において、最大値を第2の数値に確定することと、
前記第1の数値が前記第1のインタフェースのタイプを確定するためのインタフェースパラメータ閾値以上であり、且つ前記第2の数値が前記第1のインタフェースのタイプを確定するためのインタフェースパラメータ閾値以下である場合、前記端末装置は前記第1のインタフェースのタイプがPC5タイプであることを確定することと、
前記第1の数値が前記第1のインタフェースのタイプを確定するためのインタフェースパラメータ閾値以上であり、且つ前記第2の数値が前記第1のインタフェースのタイプを確定するためのインタフェースパラメータ閾値以下である場合、前記端末装置は前記第1のインタフェースのタイプがUuタイプであることを確定することと、
前記第1の数値が前記第1のインタフェースのタイプを確定するためのインタフェースパラメータ閾値以上であり、且つ前記第2の数値が前記第1のインタフェースのタイプを確定するためのインタフェースパラメータ閾値以上である場合、前記端末装置は前記第1のインタフェースのタイプが、前記第1の数値と前記第2の数値のうちの最大値に対応するインタフェースのタイプであることを確定することと、を含む。
【００３５】
幾つかの可能な実現方式において、前記第1のインターフェースのタイプを確定するためのインタフェースパラメータ閾値のセットは、
PC5タイプに対応する第1のインタフェースパラメータ閾値と第2のインタフェースパラメータ閾値、Uuタイプに対応する第3のインタフェースパラメータ閾値と第4のインタフェースパラメータ閾値を含み、前記第1のインタフェースパラメータ閾値は前記第2のインタフェースパラメータ閾値よりも大きく、前記第3のインタフェースパラメータ閾値は前記第4のインタフェースパラメータ閾値よりも大きい。
【００３６】
幾つかの可能な実現方式において、前記端末装置が前記指示情報に基づいて、UuタイプとPC5タイプにおいて、前記第1のインタフェースのタイプを確定することは、
前記端末装置は、前記少なくとも1つのPC5インターフェースに対応する少なくとも1つの数値において、最大値を第1の数値に確定することと、
前記端末装置は、前記少なくとも1つのUuインタフェースに対応する少なくとも1つの数値において、最大値を第2の数値に確定することと、
前記第1の数値が前記第1のインタフェースパラメータ閾値以上であり、且つ前記第2の数値が前記第4のインタフェースパラメータ閾値以下である場合、前記端末装置は前記第1のインタフェースのタイプがPC5タイプであることを確定することと、
前記第1の数値が前記第2のインタフェースパラメータ閾値以下であり、且つ前記第2の数値が前記第3のインタフェースパラメータ閾値以上である場合、前記端末装置は前記第1のインタフェースのタイプがUuタイプであることを確定することと、
前記第1の数値が前記第1のインタフェースパラメータ閾値以上であり、且つ前記第2の数値が前記第3のインタフェースパラメータ閾値以上である場合、前記端末装置は前記第1のインタフェースのタイプが、前記第1の数値と前記第2の数値のうちの最大値に対応するインタフェースのタイプであることを確定することと、を含む。
【００３７】
幾つかの可能な実現方式において、前記複数のタイプは、前記端末装置と前記ネットワーク装置との間のインタフェースタイプ、及び前記端末装置と他の端末装置との間のインタフェースタイプを含む。
【００３８】
幾つかの可能な実現方式において、前記複数のインタフェースタイプはUuタイプとPC5タイプを含む。
【００３９】
幾つかの可能な実現方式において、前記第1のインターフェースを確定するための準則は、
第1のタイプの複数のインタフェースのうち、前記第1のインタフェースを確定するためのインタフェースパラメータ閾値を含む。
【００４０】
幾つかの可能な実現方式において、前記第1のタイプはPC5タイプである。
【００４１】
幾つかの可能な実現方式において、前記端末装置が前記第1のインタフェースのタイプで、前記第1のインタフェースを確定することは、
前記端末装置は前記第1のインタフェースを確定するためのインタフェースパラメータ閾値以上の数値に対応するインタフェースを、前記第1のインタフェースとして確定することを含む。
【００４２】
幾つかの可能な実現方式において、前記指示情報は、前記第1のインタフェースが、特定周波数での特定タイプのインターフェース、特定無線アクセスタイプRATでのインターフェース、特定セルでのインターフェース、特定トラッキングエリアでのPC5インターフェース、特定アドレス表記でのPC5インターフェース、という条件のうちの少なくとも1つを満たすインタフェースであることを指示するためのものである。
【００４３】
幾つかの可能な実現方式において、前記特定タイプはPC5タイプである。
【００４４】
幾つかの可能な実現方式において、前記端末装置がネットワーク装置の送信した指示情報を受信する前に、前記方法は更に、
前記端末装置は前記ネットワーク装置に測定レポートを送信し、前記測定レポートは、前記少なくとも1つのPC5インタフェースと前記少なくとも1つのUuインタフェースに対する前記端末装置の測定結果を含む、ことを含む。
【００４５】
幾つかの可能な実現方式において、前記少なくとも1つのタイプで前記第1のインターフェースを確定するための準則はオフセット閾値を含み、前記第1のインタフェースのインタフェースパラメータと現在のインタフェースのインタフェースパラメータとの間の差が前記オフセット閾値以上である場合、前記第1のインタフェースに切り替えるように前記端末装置に指示することに用いられる。
【００４６】
第3の態様では、ネットワーク装置を提供し、前記ネットワーク装置は、
指示情報を生成することに用いられ、前記指示情報は、第1のインターフェース、前記第1のインターフェースのタイプ、少なくとも1つのタイプで前記第1のインターフェースを確定するための準則、前記第1のインターフェースのタイプを確定するための準則、のうちの少なくとも1つを指示するためのものである、処理ユニットと、
前記端末装置に前記指示情報を送信することに用いられ、それにより前記端末装置は前記指示情報に基づいて前記第1のインタフェースでアイドル状態に入り又は維持する、送受信ユニットと、を備える。
【００４７】
第4の態様では、ネットワーク装置を提供し、前記ネットワーク装置は、
指示情報を生成することに用いられ、前記指示情報は、第1のインターフェース、前記第1のインターフェースのタイプ、少なくとも1つのタイプで前記第1のインターフェースを確定するための準則、前記第1のインターフェースのタイプを確定するための準則、のうちの少なくとも1つを指示するためのものである、プロセッサと、
前記端末装置に前記指示情報を送信することに用いられ、それにより前記端末装置は前記指示情報に基づいて前記第1のインタフェースでアイドル状態に入り又は維持する、送受信機と、を備える。
【００４８】
第5の態様では、端末装置を提供し、前記端末装置は、
ネットワーク装置が送信した指示情報を受信することに用いられ、前記指示情報は、第1のインターフェース、前記第1のインターフェースのタイプ、少なくとも1つのタイプで前記第1のインターフェースを確定するための準則、前記第1のインターフェースのタイプを確定するための準則、のうちの少なくとも1つを指示するためのものである、送受信ユニットと、
前記指示情報に基づいて前記第1のインタフェースでアイドル状態に入り又は維持することに用いられる処理ユニットと、を備える。
【００４９】
第6の態様では、端末装置を提供し、前記端末装置は、
ネットワーク装置が送信した指示情報を受信することに用いられ、前記指示情報は、第1のインターフェース、前記第1のインターフェースのタイプ、少なくとも1つのタイプで前記第1のインターフェースを確定するための準則、前記第1のインターフェースのタイプを確定するための準則、のうちの少なくとも1つを指示するためのものである、送受信機と、
前記指示情報に基づいて前記第1のインタフェースでアイドル状態に入り又は維持することに用いられるプロセッサと、を備える。
【００５０】
第7の態様では、コンピュータ読み取り可能な記憶媒体を提供し、前記コンピュータ読み取り可能な記憶媒体には、上記第1の態様又は第1の態様のいずれかの可能な実現方式の方法をネットワーク装置に実行させるプログラムが記憶される。
【００５１】
第8の態様では、コンピュータ読み取り可能な記憶媒体を提供し、前記コンピュータ読み取り可能な記憶媒体には、上記第2の態様又は第2の態様のいずれかの可能な実現方式の方法を端末装置に実行させるプログラムが記憶される。
【００５２】
第9の態様では、コンピュータで実行するときに、上記各態様に記載の方法をコンピュータに実行させる指令を含むコンピュータプログラム製品を提供する。
【図面の簡単な説明】
【００５３】
【図１】図1は本発明の実施例によるネットワーク構造の例示図である。
【図２】図2は本発明の実施例によるデータを伝送する方法の模式的なフローチャートである。
【図３】図3は本発明の実施例によるネットワーク装置の模式的なブロック図である。
【図４】図4は本発明の実施例によるネットワーク装置の他の模式的なブロック図である。
【図５】図5は本発明の実施例による端末装置の模式的なブロック図である。
【図６】図6は本発明の実施例による端末装置の他の模式的なブロック図である。
【発明を実施するための形態】
【００５４】
以下、図面を参照して、本発明の実施例による技術的手段を説明する。
【００５５】
図1は本発明の実施例のネットワーク構造の模式図である。
【００５６】
図1に示すように、通信システム100は、ネットワーク装置110、端末装置120、端末装置130、及び中継装置140を備えてもよい。ここで、ネットワーク装置110は直接にエアインタフェースを介して端末装置120と通信することができるが、ネットワーク装置110が端末装置130と通信する際に中継装置140を介する必要がある。
【００５７】
一般的ではないが、端末装置130と中継装置140との間のリンクはアクセスリンクであり、中継装置140とネットワーク装置110との間のリンクは中継リンクであり、ネットワーク装置110と端末装置120との間のリンク、及びネットワーク装置110と端末装置130との間のリンクは直接リンクである。
【００５８】
理解できるように、本発明の実施例ではネットワーク構造100のみを例として説明するが、本発明の実施例はこれに限定されない。すなわち、本発明は、Uu直接接続とPC5中継での端末装置の移行を必要とするいかなるシステム、ネットワーク装置、端末装置に適用する。
【００５９】
例えば、本発明の実施例による技術的手段は、グローバル移動体通信（Global System of Mobile communication、GSM）システム、符号分割多元接続(Code Division Multiple Access、CDMA)システム、広帯域符号分割多元接続(Wideband Code Division Multiple Access、WCDMA)システム、汎用パケット無線サービス(General Packet Radio Service、GPRS)、ロングタームエボリューション(Long Term Evolution、LTE)システム、LTE時分割複信（Time Division Duplex、TDD）、汎用移動体通信システム（Universal Mobile Telecommunication System、UMTS）等を含むが、これらに制限されない様々な通信システムに適用可能である。
【００６０】
ここで、ネットワーク装置110とは、信号を送受信するためのネットワーク側のエンティティを指してもよく、例えば、機器類通信（MTC）のユーザ装置、GSM又はCDMAにおける基地局（Base Transceiver Station、BTS）、WCDMAにおける基地局（NodeB）、LTEにおける進化型基地局（Evolutional Node B、eNB又はeNodeB）、5Gネットワークにおける基地局装置等であってもよい。
【００６１】
また、端末装置120、端末装置130は、無線アクセスネットワーク（Radio Access Network、RAN）を介して1つ又は複数のコアネットワークと通信してもよく、アクセス端末、ユーザ装置（User Equipment、UE）、ユーザユニット、ユーザ局、移動基地局、移動局、遠方局、遠隔端末、移動装置、ユーザ端末、端末、無線通信装置、ユーザエージェント又はユーザデバイスと呼ばれてもよい。例えば、セルラー電話、コードレス電話、セッション開始プロトコル(Session Initiation Protocol、SIP)電話、ワイヤレスローカルループ(Wireless Local Loop、WLL)局、パーソナルデジタルアシスタント（Personal Digital Assistant、PDA）、無線通信機能を備えるハンドヘルド装置、計算装置又は無線モデムに接続される他の処理装置、車載装置、ウェアラブルデバイス、5Gネットワークにおける端末装置等であってもよい。
【００６２】
図2は本発明の実施例によるデータを送信する方法200の模式的なフローチャートである。
【００６３】
図2に示すように、該方法200は下記210〜230を含む。
【００６４】
210において、指示情報を生成し、該指示情報は端末装置がアイドル状態に入り又は維持するためのものである。
【００６５】
具体的に、ネットワーク装置は指示情報を生成し、該指示情報は、第1のインターフェース、該第1のインターフェースのタイプ、該第1のインターフェースを確定するための準則、該第1のインターフェースのタイプを確定するための準則、のうちの少なくとも1つを指示するためのものである。
【００６６】
例えば、該指示情報は、該第1のインターフェースのタイプ、及び該第1のインターフェースのタイプを確定するための準則を指示するためのものであってもよい。
【００６７】
また、例えば、該指示情報は、該第1のインターフェースを確定するための準則、及び該第1のインターフェースのタイプを確定するための準則を指示するためのものであってもよい。
【００６８】
また、例えば、該指示情報は、第1のインタフェースのタイプ、該第1のインタフェースを確定するための準則、及び該第1のインタフェースのタイプを確定するための準則を同時に指示するためのものであってもよい。
【００６９】
また、例えば、該指示情報は、端末装置がアイドル状態に入り又は維持する第1のインタフェースを指示するためのものであってもよい。具体的に、該端末装置がある特定のインターフェースでしかアイドル状態に入り又は維持することができない場合、ネットワーク装置は該指示情報によって該端末装置に該第1のインターフェースを直接に指示してもよい。
【００７０】
すなわち、本発明の実施例における指示情報は、端末装置がどのインタフェースでアイドル状態に入り又は維持するかを直接に指示してもよく、端末装置がどのタイプのインタフェースでアイドル状態に入り又は維持するかを直接に指示してもよく、端末装置に幾つかの準則に指示し、それにより該端末装置がこれらの準則に基づいてどのタイプのインタフェースでアイドル状態に入り又は維持するかを確定できるようにしてもよい。
【００７１】
本発明の実施例において、端末装置はネットワーク装置が送信した指示情報によって、端末装置が適切なインタフェースを選択してアイドル状態に入り又は維持できるインタフェースを指示する。
【００７２】
なお、本発明の実施例では、端末装置が該指示情報に基づいて該第1のインタフェースを確定した後、接続状態にある端末装置は該第1のインタフェースで接続状態からアイドル状態に切り替えてもよく、アイドル状態にある端末装置は他のインタフェースでのアイドル状態から該第1のインタフェースでのアイドル状態に切り替えてもよい。本発明の実施例では具体的に限定しない。
【００７３】
具体的に、端末装置がアイドル状態にある場合、移動の過程において、アイドル状態を維持するための最適なインタフェースは変化する可能性が高いため、端末装置は本発明の実施例における指示情報に基づいてインタフェースを再確定して、アイドル状態でのインタフェースを切り替えることができ、信号品質を効果的に確保することができる。
【００７４】
なお、上記指示情報は単なる例示的な説明であり、本発明の実施例はこれに限定されない。
【００７５】
例えば、該指示情報は、該第1のインタフェースが、特定周波数での特定タイプのインターフェース、特定無線アクセスタイプRATでのインターフェース、特定セルでのインターフェース、特定トラッキングエリアでの特定タイプのインターフェース、特定アドレス表記での特定タイプのインターフェース、という条件のうちの少なくとも1つを満たすインタフェースであることを指示するためのものである。
【００７６】
選択肢として、特定タイプはPC5タイプである。
【００７７】
理解できるように、本発明の実施例における該端末装置は、少なくとも1つのUuインターフェース及び/又は少なくとも1つのPC5インターフェースを有してもよい。
【００７８】
選択肢として、本発明の実施例において、該ネットワーク装置が指示情報を生成する前に、該ネットワーク装置は該端末装置が送信した測定レポートを受信してもよく、該測定レポートは上記少なくとも1つのPC5インターフェース及び上記少なくとも1つのUuインターフェースに対する該端末装置の測定結果を含み、該ネットワーク装置は受信した該測定レポートに基づいて該指示情報を生成する。
【００７９】
理解できるように、本発明の実施例におけるネットワーク装置は測定レポートに基づいて指示情報を生成してもよく、端末装置とのサービス伝送状況に基づいて直接に指示情報を生成してもよく、本発明の実施例では具体的に限定しない。
【００８０】
以下、該指示情報が該第1のインタフェースのタイプを指示することに用いられる実現方式を例示的に説明する。
【００８１】
選択肢として、1つの実施例として、該指示情報は、該第1のインタフェースのタイプがUuタイプ又はPC5タイプであることを指示するためのものである。このとき、端末装置は該指示情報に基づいて、第1のインタフェースのタイプを直接に確定することができる。
【００８２】
具体的に、該指示情報は、
該第1のインタフェースのタイプがUuタイプであること、
該第1のインタフェースのタイプがPC5タイプであること、
該第1のインタフェースのタイプがUuタイプとPC5タイプであること、のいずれか1つを指示するためのものである。
【００８３】
理解できるように、本発明の実施例において、Uuタイプ又はPC5タイプは他の名称とも呼ばれてもよく、本発明の実施例では、この2種類のインタフェースの役割のみを限定する。例えば、Uuタイプとは端末装置とネットワーク装置との間のインタフェースを指し、PC5タイプとは端末装置と端末装置との間のインタフェースを指す。すなわち、本発明の実施例の技術的手段を逸脱しない場合、端末装置と端末装置とのインタフェースはUuタイプのインタフェースでなくてもよく、端末装置とネットワーク装置との間のインタフェースはPC5タイプのインタフェースでなくてもよい。
【００８４】
選択肢として、他の実施例として、該第1のインターフェースのタイプを確定するための準則は、
複数のタイプのうち、該第1のインタフェースのタイプを確定するためのインタフェースパラメータ閾値又はインタフェースパラメータ閾値のセットを含む。
【００８５】
選択肢として、該複数のタイプは、該端末装置と該ネットワーク装置との間のインタフェースタイプ、及び該端末装置と他の端末装置との間のインタフェースタイプを含む。
【００８６】
以下、該複数のタイプがPC5タイプとUuタイプを含む場合を例として説明する。
【００８７】
PC5タイプとUuタイプのうち、該第1のインタフェースのタイプを確定するためのインタフェースパラメータ閾値又はインタフェースパラメータ閾値のセット。このとき、端末装置は、該第1のインタフェースのタイプを確定するためのインタフェースパラメータ閾値又はインタフェースパラメータ閾値のセットに基づいて、該第1のインタフェースのタイプを確定する必要がある。
【００８８】
例えば、該第1のインタフェースのタイプを確定するための準則は、該第1のインターフェースのタイプを確定するためのインターフェースパラメータ閾値を含む。
【００８９】
具体的に、該端末装置は少なくとも1つのPC5インターフェースに対応する少なくとも1つの数値のうち、最大値を第1の数値に確定し、該端末装置は少なくとも1つのUuインタフェースに対応する少なくとも1つの数値のうち、最大値を第2の数値に確定する。選択肢として、該第1の数値が該第1のインタフェースのタイプを確定するためのインタフェースパラメータ閾値以上であり、且つ該第2の数値が該第1のインタフェースのタイプを確定するためのインタフェースパラメータ閾値以下である場合、該端末装置は該第1のインタフェースのタイプがPC5タイプであることを確定する。選択肢として、該第1の数値が該第1のインタフェースのタイプを確定するためのインタフェースパラメータ閾値以上であり、且つ該第2の数値が該第1のインタフェースのタイプを確定するためのインタフェースパラメータ閾値以下である場合、該端末装置は該第1のインタフェースのタイプがUuタイプであることを確定する。選択肢として、該第1の数値が該第1のインタフェースのタイプを確定するためのインタフェースパラメータ閾値以上であり、且つ該第2の数値が該第1のインタフェースのタイプを確定するためのインタフェースパラメータ閾値以上である場合、該端末装置は該第1のインタフェースのタイプが、該第1の数値と該第2の数値のうちの最大値に対応するインタフェースのタイプであることを確定する。
【００９０】
また、例えば、該第1のインターフェースのタイプを確定するためのインタフェースパラメータ閾値のセットは、
PC5タイプに対応する第1のインタフェースパラメータ閾値と第2のインタフェースパラメータ閾値、Uuタイプに対応する第3のインタフェースパラメータ閾値と第4のインタフェースパラメータ閾値を含み、該第1のインタフェースパラメータ閾値は該第2のインタフェースパラメータ閾値よりも大きく、該第3のインタフェースパラメータ閾値は該第4のインタフェースパラメータ閾値よりも大きい。
【００９１】
具体的に、該端末装置は少なくとも1つのPC5インターフェースに対応する少なくとも1つの数値のうち、最大値を第1の数値に確定し、該端末装置は少なくとも1つのUuインタフェースに対応する少なくとも1つの数値のうち、最大値を第2の数値に確定する。選択肢として、該第1の数値が該第1のインタフェースパラメータ閾値以上であり、且つ該第2の数値が該第4のインタフェースパラメータ閾値以下である場合、該端末装置は該第1のインタフェースのタイプがPC5タイプであることを確定する。選択肢として、該第1の数値が該第2のインタフェースパラメータ閾値以下であり、且つ該第2の数値が該第3のインタフェースパラメータ閾値以上である場合、該端末装置は該第1のインタフェースのタイプがUuタイプであることを確定する。選択肢として、該第1の数値が該第1のインタフェースパラメータ閾値以上であり、且つ該第2の数値が該第3のインタフェースパラメータ閾値以上である場合、該端末装置は該第1のインタフェースのタイプが、該第1の数値と該第2の数値のうちの最大値に対応するインタフェースのタイプであることを確定する。
【００９２】
なお、本発明の実施例では、該第1のインタフェースのタイプを確定するためのインタフェースパラメータ閾値又はインタフェースパラメータ閾値のセットが4つの具体的なインタフェースパラメータ閾値を含む場合のみを例示的に説明するが、本発明の実施例はこれに限定されない。
【００９３】
例えば、本発明の実施例において、該第1のインタフェースのタイプを確定するための閾値のセットは更に6つの閾値を含んでもよく、ここで、PC5タイプは3つのインタフェースパラメータ閾値に対応し、Uuタイプは3つのインタフェースパラメータ閾値に対応する等々とされる。
【００９４】
理解できるように、本発明の実施例において、端末装置はネットワーク装置が送信した該第1のインタフェースのタイプを確定するためのインタフェースパラメータ閾値又はインタフェースパラメータ閾値のセットを受信した後、該第1のインタフェースのタイプを確定するためのインタフェースパラメータ閾値又はインタフェースパラメータ閾値のセットに基づき、第1のインタフェースのタイプを確定する具体的なルールは、事前に設定されたものであってもよく、ネットワーク装置が端末装置に送信したものであってもよく、本発明の実施例は特に限定しない。
【００９５】
選択肢として、本発明の実施例において、該第1の数値は参照信号受信電力（Reference Signal Receiving Power、RSRP）又は参照信号受信品質（Reference Signal Receiving Quality、RSRQ）であり、該第2の数値はRSRP又はRSRQである。
【００９６】
以下、該指示情報が該第1のインターフェースを指示することに用いられる実現方式を例示的に説明する。
【００９７】
選択肢として、1つの実施例として、該指示情報は該第1のインタフェースを指示するためのものである。このとき、端末装置は指示された第1のインターフェースで直接にアイドル状態に入り又は維持することができる。
【００９８】
選択肢として、他の実施例として、該第1のインターフェースを確定するための準則は、
第1のタイプの複数のインタフェースのうち、該第1のインタフェースを確定するためのインタフェースパラメータ閾値を含む。
【００９９】
以下、該第1のタイプがPC5タイプである場合を例示的に説明する。
【０１００】
換言すれば、該端末装置は該第1のインタフェースを確定するためのインタフェースパラメータ閾値以上の数値に対応するインタフェースを、該第1のインタフェースとして確定する。
【０１０１】
220において、該指示情報を送信する。
【０１０２】
具体的に、ネットワーク装置は端末装置に該指示情報を送信し、それにより該端末装置は該指示情報に基づいて該第1のインタフェースでアイドル状態に入り又は維持する。
【０１０３】
選択肢として、ネットワーク装置は端末装置に、該指示情報を含むRRC接続リリースシグナリング（RRC Connection Release）を送信する。
【０１０４】
230において、該指示情報に基づいて該第1のインタフェースでアイドル状態に入り又は維持する。
【０１０５】
具体的に、端末装置はネットワーク装置が送信した該指示情報を受信した後、該指示情報に基づいて該第1のインタフェースでアイドル状態に入り又は維持する。
【０１０６】
選択肢として、該端末装置は少なくとも1つのUuインターフェース及び/又は少なくとも1つのPC5インターフェースを有する。該端末装置は該指示情報に基づいて、上記少なくとも1つのUuインターフェース及び/又は上記少なくとも1つのPC5インターフェースにおいて、該第1のインターフェースを確定し、該端末装置は該第1のインタフェースでアイドル状態に入り又は維持する。
【０１０７】
より具体的に、該端末装置は該指示情報に基づいて、UuタイプとPC5タイプにおいて、該第1のインタフェースのタイプを確定し、該端末装置は該第1のインタフェースのタイプで、該第1のインタフェースを確定する。
【０１０８】
理解できるように、本発明の実施例における指示情報は更に、該端末装置が該第1のインタフェースを変更することに用いられるオフセットインタフェースパラメータ閾値を指示するためのものであってもよい。
【０１０９】
具体的に、該少なくとも1つのタイプで該第1のインターフェースを確定するための準則はオフセット閾値を含み、該第1のインタフェースのインタフェースパラメータと現在のインタフェースのインタフェースパラメータとの間の差が該オフセット閾値以上である場合、該第1のインタフェースに切り替えるように該端末装置に指示することに用いられる。
【０１１０】
換言すれば、端末装置が該第1のインタフェースで接続状態からアイドル状態に切り替えた後、一定の時間が経過すると、端末装置の第2のインタフェースの数値は該第1のインタフェースに対応する数値よりも大きくなる。このとき、端末装置は該オフセットインタフェースパラメータ閾値に基づいて、第1のインタフェースでのアイドル状態から第2のインタフェースでのアイドル状態に切り替えるかどうかを確定する必要がある。
【０１１１】
図3は本発明の実施例によるネットワーク装置300の模式的なブロック図である。
【０１１２】
図3に示すように、該ネットワーク装置300は、
指示情報を生成することに用いられ、該指示情報は、第1のインターフェース、該第1のインターフェースのタイプ、該第1のインターフェースを確定するための準則、該第1のインターフェースのタイプを確定するための準則、のうちの少なくとも1つを指示するためのものである、処理ユニット310と、
該端末装置に該指示情報を送信することに用いられ、それにより該端末装置は該指示情報に基づいて該第1のインタフェースでアイドル状態に入り又は維持する、送受信ユニット320と、を備える。
【０１１３】
選択肢として、該端末装置は少なくとも1つのUuインターフェース及び/又は少なくとも1つのPC5インターフェースを有する。
【０１１４】
選択肢として、該指示情報は、
該第1のインタフェースのタイプがUuタイプであること、
該第1のインタフェースのタイプがPC5タイプであること、
該第1のインタフェースのタイプがUuタイプとPC5タイプであること、のいずれか1つを指示するためのものである。
【０１１５】
選択肢として、該準則はインタフェースパラメータ閾値を含み、該インタフェースパラメータ閾値は参照信号受信電力RSRP閾値又は参照信号受信品質RSRQ閾値である。
【０１１６】
選択肢として、該第1のインターフェースのタイプを確定するための準則は、
複数のタイプのうち、該第1のインタフェースのタイプを確定するためのインタフェースパラメータ閾値又はインタフェースパラメータ閾値のセットを含む。
【０１１７】
選択肢として、該複数のタイプは、該端末装置と該ネットワーク装置との間のインタフェースタイプ、及び該端末装置と他の端末装置との間のインタフェースタイプを含む。
【０１１８】
選択肢として、該複数のインタフェースタイプはUuタイプとPC5タイプを含む。
【０１１９】
選択肢として、上記少なくとも1つのPC5インターフェースに対応する少なくとも1つの数値のうちの最大値は第1の数値であり、上記少なくとも1つのUuインターフェースに対応する少なくとも1つの数値のうちの最大値は第2の数値であり、該第1の数値が該第1のインタフェースのタイプを確定するためのインタフェースパラメータ閾値以上であり、且つ該第2の数値が該第1のインタフェースのタイプを確定するためのインタフェースパラメータ閾値以下である場合、該第1のインタフェースのタイプはPC5タイプであり、該第1の数値が該第1のインタフェースのタイプを確定するためのインタフェースパラメータ閾値以上であり、且つ該第2の数値が該第1のインタフェースのタイプを確定するためのインタフェースパラメータ閾値以下である場合、該第1のインタフェースのタイプはUuタイプであり、該第1の数値が該第1のインタフェースのタイプを確定するためのインタフェースパラメータ閾値以上であり、且つ該第2の数値が該第1のインタフェースのタイプを確定するためのインタフェースパラメータ閾値以上である場合、該第1のインタフェースのタイプは、該第1の数値と該第2の数値のうちの最大値に対応するインタフェースのタイプである。
【０１２０】
選択肢として、該第1のインターフェースのタイプを確定するためのインタフェースパラメータ閾値のセットは、
PC5タイプに対応する第1のインタフェースパラメータ閾値と第2のインタフェースパラメータ閾値、Uuタイプに対応する第3のインタフェースパラメータ閾値と第4のインタフェースパラメータ閾値を含み、該第1のインタフェースパラメータ閾値は該第2のインタフェースパラメータ閾値よりも大きく、該第3のインタフェースパラメータ閾値は該第4のインタフェースパラメータ閾値よりも大きい。
【０１２１】
選択肢として、上記少なくとも1つのPC5インターフェースに対応する少なくとも1つの数値のうちの最大値は第1の数値であり、上記少なくとも1つのUuインターフェースに対応する少なくとも1つの数値のうちの最大値は第2の数値であり、該第1の数値が該第1のインタフェースパラメータ閾値以上であり、且つ該第2の数値が該第4のインタフェースパラメータ閾値以下である場合、該第1のインタフェースのタイプはPC5タイプであり、該第1の数値が該第2のインタフェースパラメータ閾値以下であり、且つ該第2の数値が該第3のインタフェースパラメータ閾値以上である場合、該第1のインタフェースのタイプはUuタイプであり、該第1の数値が該第1のインタフェースパラメータ閾値以上であり、且つ該第2の数値が該第3のインタフェースパラメータ閾値以上である場合、該第1のインタフェースのタイプは、該第1の数値と該第2の数値のうちの最大値に対応するインタフェースのタイプである。
【０１２２】
選択肢として、該第1のインターフェースを確定するための準則は、
第1のタイプの複数のインタフェースのうち、該第1のインタフェースを確定するためのインタフェースパラメータ閾値を含む。
【０１２３】
選択肢として、該第1のタイプはPC5タイプである。
【０１２４】
選択肢として、該第1のインタフェースのインタフェースパラメータは、該第1のインタフェースを確定するためのインタフェースパラメータ閾値以上である。
【０１２５】
選択肢として、該指示情報は、該第1のインタフェースが、特定周波数での特定タイプのインターフェース、特定無線アクセスタイプRATでのインターフェース、特定セルでのインターフェース、特定トラッキングエリアでのPC5インターフェース、特定アドレス表記でのPC5インターフェース、という条件のうちの少なくとも1つを満たすインタフェースであることを指示するためのものである。
【０１２６】
選択肢として、該特定タイプはPC5タイプである。
【０１２７】
選択肢として、該ネットワーク装置が指示情報を生成する前に、該送受信ユニット320は更に、該端末装置が送信した測定レポートを受信することに用いられ、該測定レポートは上記少なくとも1つのPC5インタフェースと上記少なくとも1つのUuインタフェースに対する該端末装置の測定結果を含み、
ここで、該処理ユニット310は、該測定レポートに基づいて該指示情報を生成することに用いられる。
【０１２８】
選択肢として、該少なくとも1つのタイプで該第1のインターフェースを確定するための準則はオフセット閾値を含み、該第1のインタフェースのインタフェースパラメータと現在のインタフェースのインタフェースパラメータとの間の差が該オフセット閾値以上である場合、該第1のインタフェースに切り替えるように該端末装置に指示することに用いられる。
【０１２９】
なお、本発明の実施例において、処理ユニット310はプロセッサによって実現されてもよく、送受信ユニット320は送受信機によって実現されてもよい。
【０１３０】
図4に示すように、ネットワーク装置400はプロセッサ410、送受信機420、メモリ430を備えてもよい。ここで、メモリ430は指示情報を記憶することに用いられてもよく、プロセッサ410が実行するコード、指令等を記憶することに用いられてもよい。
【０１３１】
限定ではなく一例として、プロセッサ410、送受信機420、メモリ430の間の通信接続は、例えばバス等の方式を介して実現される。
【０１３２】
なお、プロセッサ410が実行する方法は、上記方法の実施例の内容と一致するため、繰り返して説明しない。
【０１３３】
図5は本発明の実施例の端末装置500の模式的なブロック図である。
【０１３４】
図5に示すように、該端末装置500は、
ネットワーク装置が送信した指示情報を受信することに用いられ、該指示情報は、第1のインターフェース、該第1のインターフェースのタイプ、該第1のインターフェースを確定するための準則、該第1のインターフェースのタイプを確定するための準則、のうちの少なくとも1つを指示するためのものである、送受信ユニット510と、
該指示情報に基づいて該第1のインタフェースでアイドル状態に入り又は維持することに用いられる処理ユニット520と、を備える。
【０１３５】
選択肢として、該指示情報は、
該第1のインタフェースのタイプがUuタイプであること、
該第1のインタフェースのタイプがPC5タイプであること、
該第1のインタフェースのタイプがUuタイプとPC5タイプであること、のいずれか1つを指示するためのものである。
【０１３６】
選択肢として、該端末装置は少なくとも1つのUuインターフェース及び/又は少なくとも1つのPC5インターフェースを有する。
【０１３７】
選択肢として、該処理ユニット520は具体的に、
該端末装置が該指示情報に基づいて、上記少なくとも1つのUuインターフェース及び/又は上記少なくとも1つのPC5インターフェースにおいて、該第1のインターフェースを確定し、該端末装置が該第1のインタフェースでアイドル状態に入り又は維持することに用いられる。
【０１３８】
選択肢として、該処理ユニット520は具体的に、
該端末装置が該指示情報に基づいて、UuタイプとPC5タイプにおいて、該第1のインタフェースのタイプを確定し、該端末装置が該第1のインタフェースのタイプで、該第1のインタフェースを確定することに用いられる。
【０１３９】
選択肢として、該準則はインタフェースパラメータ閾値を含み、該インタフェースパラメータ閾値は参照信号受信電力RSRP閾値又は参照信号受信品質RSRQ閾値である。
【０１４０】
選択肢として、該第1のインターフェースのタイプを確定するための準則は、
複数のタイプのうち、該第1のインタフェースのタイプを確定するためのインタフェースパラメータ閾値又はインタフェースパラメータ閾値のセットを含む。
【０１４１】
選択肢として、該複数のタイプは、該端末装置と該ネットワーク装置との間のインタフェースタイプ、及び該端末装置と他の端末装置との間のインタフェースタイプを含む。
【０１４２】
選択肢として、該複数のインタフェースタイプはUuタイプとPC5タイプを含む。
【０１４３】
選択肢として、該処理ユニット520は具体的に、
上記少なくとも1つのPC5インターフェースに対応する少なくとも1つの数値において最大値を第1の数値に確定し、上記少なくとも1つのUuインターフェースに対応する少なくとも1つの数値において最大値を第2の数値に確定し、該第1の数値が該第1のインタフェースのタイプを確定するためのインタフェースパラメータ閾値以上であり、且つ該第2の数値が該第1のインタフェースのタイプを確定するためのインタフェースパラメータ閾値以下である場合、該第1のインタフェースのタイプがPC5タイプであることを確定し、該第1の数値が該第1のインタフェースのタイプを確定するためのインタフェースパラメータ閾値以上であり、且つ該第2の数値が該第1のインタフェースのタイプを確定するためのインタフェースパラメータ閾値以下である場合、該第1のインタフェースのタイプがUuタイプであることを確定し、該第1の数値が該第1のインタフェースのタイプを確定するためのインタフェースパラメータ閾値以上であり、且つ該第2の数値が該第1のインタフェースのタイプを確定するためのインタフェースパラメータ閾値以上である場合、該第1のインタフェースのタイプが、該第1の数値と該第2の数値のうちの最大値に対応するインタフェースのタイプであることを確定することに用いられる。
【０１４４】
選択肢として、該第1のインターフェースのタイプを確定するためのインタフェースパラメータ閾値のセットは、
PC5タイプに対応する第1のインタフェースパラメータ閾値と第2のインタフェースパラメータ閾値、Uuタイプに対応する第3のインタフェースパラメータ閾値と第4のインタフェースパラメータ閾値を含み、該第1のインタフェースパラメータ閾値は該第2のインタフェースパラメータ閾値よりも大きく、該第3のインタフェースパラメータ閾値は該第4のインタフェースパラメータ閾値よりも大きい。
【０１４５】
選択肢として、該処理ユニット520は具体的に、
上記少なくとも1つのPC5インターフェースに対応する少なくとも1つの数値において最大値を第1の数値に確定し、上記少なくとも1つのUuインターフェースに対応する少なくとも1つの数値において最大値を第2の数値に確定し、該第1の数値が該第1のインタフェースパラメータ閾値以上であり、且つ該第2の数値が該第4のインタフェースパラメータ閾値以下である場合、該第1のインタフェースのタイプがPC5タイプであることを確定し、該第1の数値が該第2のインタフェースパラメータ閾値以下であり、且つ該第2の数値が該第3のインタフェースパラメータ閾値以上である場合、該第1のインタフェースのタイプがUuタイプであることを確定し、該第1の数値が該第1のインタフェースパラメータ閾値以上であり、且つ該第2の数値が該第3のインタフェースパラメータ閾値以上である場合、該第1のインタフェースのタイプが、該第1の数値と該第2の数値のうちの最大値に対応するインタフェースのタイプであることを確定することに用いられる。
【０１４６】
選択肢として、該第1のインターフェースを確定するための準則は、
複数のPC5インタフェースのうち、該第1のインタフェースを確定するためのインタフェースパラメータ閾値を含む。
【０１４７】
選択肢として、該処理ユニット520は具体的に、
該端末装置が、該第1のインタフェースを確定するためのインタフェースパラメータ閾値以上の数値に対応するインタフェースを、該第1のインタフェースとして確定することに用いられる。
【０１４８】
選択肢として、該指示情報は、該第1のインタフェースが、特定周波数での特定タイプのインターフェース、特定無線アクセスタイプRATでのインターフェース、特定セルでのインターフェース、特定トラッキングエリアでのPC5インターフェース、特定アドレス表記でのPC5インターフェース、という条件のうちの少なくとも1つを満たすインタフェースであることを指示するためのものである。
【０１４９】
選択肢として、該特定タイプはPC5タイプである。
【０１５０】
選択肢として、該端末装置がネットワーク装置の送信した指示情報を受信する前に、該送受信ユニット510は更に、
該端末装置が該ネットワーク装置に測定レポートを送信することに用いられ、該測定レポートは、上記少なくとも1つのPC5インタフェースと上記少なくとも1つのUuインタフェースに対する該端末装置の測定結果を含む。
【０１５１】
選択肢として、該少なくとも1つのタイプで該第1のインターフェースを確定するための準則はオフセット閾値を含み、該第1のインタフェースのインタフェースパラメータと現在のインタフェースのインタフェースパラメータとの間の差が該オフセット閾値以上である場合、該第1のインタフェースに切り替えるように該端末装置に指示することに用いられる。
【０１５２】
なお、本発明の実施例において、送受信ユニット510は送受信機によって実現されてもよく、処理ユニット520はプロセッサによって実現されてもよい。
【０１５３】
図6に示すように、端末装置600はプロセッサ610、送受信機620、及びメモリ630を備えてもよい。ここで、メモリ630は指示情報を記憶することに用いられてもよく、プロセッサ610が実行するコード、指令等を記憶することに用いられてもよい。
【０１５４】
限定ではなく一例として、プロセッサ610、送受信機620、メモリ630の間の通信接続は、例えばバス等の方式を介して実現される。
【０１５５】
なお、プロセッサ610が実行する方法は、上記方法の実施例の内容と一致するため、繰り返して説明しない。
【０１５６】
なお、本発明の実施例における方法の実施例は、プロセッサに適用され、又はプロセッサによって実現されてもよい。プロセッサは集積回路チップである可能性があり、信号の処理能力を持つ。実現過程において、上記方法の実施例の各ステップは、プロセッサ内のハードウェアの集積論理回路又はソフトウェア形態の指令によって達成できる。上記プロセッサは汎用プロセッサ、デジタルシグナルプロセッサ（Digital Signal Processor、DSP）、専用集積回路（Application Specific Integrated Circuit、ASIC）、フィールドプログラマブルゲートアレイ（Field Programmable Gate Array、FPGA）又は他のプログラマブル論理デバイス、トランジスタ論理デバイス、ディスクリートハードウェアモジュールであってもよい。本発明の実施例に開示される様々な方法、ステップ及び論理ブロック図は、実現又は実行されることができる。汎用プロセッサはマイクロプロセッサであってもよく、或いは、該プロセッサは任意の通常のプロセッサ等であってもよい。本発明の実施例を組合わせて開示された方法のステップは、直接にハードウェアデコードプロセッサで実行され、或いは、デコードプロセッサにおけるハードウェア及びソフトウェアのモジュールの組合せで実行される。ソフトウェアモジュールはランダムアクセスメモリ、フラッシュメモリ、読み出し専用メモリ、プログラマブル読み出し専用メモリ、又は電気的に書き換え可能なプログラマブルメモリ、レジスタ等の本分野で成熟した記憶媒体に位置してもよい。該記憶媒体はメモリにあり、プロセッサはメモリ内の情報を読み取り、そのハードウェアと共に上記方法のステップを完成する。
【０１５７】
理解できるように、本発明の実施例において、メモリは揮発性メモリ又は不揮発性メモリであってもよく、或いは揮発性メモリと不揮発性メモリの両方を含んでもよい。ここで、不揮発性メモリは、読み出し専用メモリ（Read-Only Memory、ROM）、プログラマブル読み出し専用メモリ（Programmable ROM、PROM）、消去可能プログラマブル読み出し専用メモリ（Erasable PROM、EPROM）、電気的消去可能プログラマブル読み出し専用メモリ（Electrically EPROM，EEPROM）又はフラッシュメモリであってもよい。揮発性メモリは、外部キャッシュとして使用するランダムアクセスメモリ（Random Access Memory、RAM）であってもよい。限定的でなく例示的な説明により、多くの形式のRAM、例えばスタティックランダムアクセスメモリ（Static RAM、SRAM）、ダイナミックランダムアクセスメモリ（Dynamic RAM、DRAM）、シンクロナスダイナミックランダムアクセスメモリ（Synchronous DRAM、SDRAM）、ダブルデータレート同期ダイナミックランダムアクセスメモリ（Double Data Rate SDRAM、DDR SDRAM）、拡張同期ダイナミックランダムアクセスメモリ（Enhanced SDRAM、ESDRAM）、同期接続ダイナミックランダムアクセスメモリ（Synch Link DRAM、SLDRAM）、ダイレクトメモリアクセスメモリ（Direct Rambus RAM、DR RAM）は利用可能である。なお、本明細書で説明するシステム及び方法のメモリは、これらのメモリ及びその他の任意の適切なタイプのメモリを含むが、これらに限定されない。
【０１５８】
理解できるように、本発明の実施例及び添付の特許請求の範囲で使用される用語は、特定の実施例を説明するためのものに過ぎず、本発明の実施例を限定するためのものではない。
【０１５９】
例えば、本発明の実施例における用語の「及び/又は」は、単に関連対象の関連関係を記述するものであり、3つの関係が存在し得ることを示す。具体的に、A及び/又はBは、Aが単独で存在する場合、AとBが同時に存在する場合、Bが単独で存在する場合の3つの場合を表すことができる。また、本文中の文字「/」は、一般的に前後関連対象が「又は」の関係であることを示す。
【０１６０】
また、例えば、本発明の実施例及び添付の特許請求の範囲で使用される単数形の「1つ」、「前記」及び「該」も、文脈が明確に他の意味を示していない限り、多数の形を含む。
【０１６１】
また、例えば、本発明の実施例において、各種のインタフェースパラメータ閾値、インタフェース及び端末を記述するために、第1、第2、第3等の用語を使用することができるが、これらのインタフェースパラメータ閾値、インタフェース及び端末はこれらの用語に限定されない。これらの用語は、インタフェースパラメータの閾値、インタフェース及び端末を区別するためのものに過ぎない。
【０１６２】
また、例えば、文脈によっては、ここで使用される言葉の「もし」や「仮に」は、「…の時」や「…の場合」や「確定に応答」や「検出に応答」と解釈できる。同様に、文脈によっては、フレーズの「もし確定すれば」や「もし検出すれば(陳述の条件又はイベント)」は、「確定した場合」や「確定に応答」や「検出した場合(陳述の条件又はイベント)」や「検出に応答(陳述の条件又はイベント)」と解釈できる。
当業者が認識できるように、本明細書で開示する実施例に説明した様々な例示のユニット及びアルゴリズムステップは、電子ハードウェア、又はコンピュータソフトウェアと電子ハードウェアとの組合せで実現できる。これらの機能がハードウェアで実行されるかそれともソフトウェアで実行されるかは、技術的手段の特定の適用と設計制約条件によって決められる。専門技術者は、各特定の適用に対して異なる方法を使用して、記述された機能を実現することができるが、そのような実現は本発明の実施例の範囲を超えるとは考えられない。
【０１６３】
当業者が明らかに理解できるように、説明の便宜と簡明のために、上記説明したシステム、装置及びユニットの具体的な動作過程については、前述した方法の実施例における対応の過程を参照でき、ここでは繰り返して説明しない。
【０１６４】
本願によるいくつかの実施例において、理解できるように、開示されるシステム、装置及び方法は、他の方式で実現されてもよい。例えば、上記装置の実施例は概略的なものであり、例えば、前記ユニットの区分はただ論理機能の区分であり、実際に実現する時に他の区分方式があってもよく、例えば、複数のユニット又はモジュールは組合せられてもよく、又は他のシステムに集積されてもよく、又は幾つかの特徴は無視され、又は実行されなくてもよい。また、表示又は説明した相互間のカップリング又は直接カップリング又は通信接続は、いくつかのインターフェース、装置又はユニットを介した間接カップリング又は通信接続であってもよく、電気的、機械的、又は他の形式であってもよい。
【０１６５】
前記分離部品として説明したユニットは物理的に分離したものであってもよくあるいは分離したものでなくともよく、ユニットとして表示した部品は物理ユニットであってもよくあるいは物理ユニットでなくともよく、1つの場所に位置してもよく、複数のネットワークユニットに分布してもよい。実際の需要に応じて、その一部又は全部のユニットを選択して本発明の実施例の目的を実現してもよい。
【０１６６】
また、本発明の実施例における各機能ユニットは、1つの処理ユニットに集積されたものであってもよく、各ユニットがそれぞれ物理的に存在するものであってもよく、2つ以上のユニットが1つのユニットに集積されたものであってもよい。
【０１６７】
ソフトウェア機能ユニットの形式で実現され且つ独立の製品として販売され又は使用される場合、コンピュータ読み取り可能な記憶媒体に記憶されてもよい。このような理解に基づいて、本発明の実施例の技術的手段の本質又は従来技術に対する貢献の部分或いは該技術的手段の部分は、ソフトウェア製品の形式で体現してもよく、該コンピュータソフトウェア製品は1つの記憶媒体に記憶され、1つのコンピュータ装置（パソコン、サーバ、又はネットワーク装置等であってもよい）が本発明の実施例に記載の方法の全部又は一部のステップを実行するための若干の指令を含む。前記記憶媒体は、Uディスク、移動ハードディスク、読み出し専用メモリ（Read-Only Memory、ROM）、ランダムアクセスメモリ（Random Access Memory、RAM）、ディスク又は光ディスク等の各種のプログラムコードを記憶可能な媒体を含む。
【０１６８】
上記内容は本発明の実施例の具体的な実施形態に過ぎず、本発明の実施例の保護範囲はこれに限定されるものではなく、いかなる当業者が本発明の実施例の開示した技術範囲内において容易に想到し得る変化又は置き換えは、いずれも本発明の実施例の保護範囲内に含まれるべきである。従って、本発明の実施例の保護範囲は請求項の保護範囲を基準とするべきである。
【図１】
2020519064.tif 000003
【図２】
2020519064.tif 000004
【図３】
2020519064.tif 000005
【図４】
2020519064.tif 000006
【図５】
2020519064.tif 000007
【図６】
2020519064.tif 000008
【手続補正書】
【提出日】令和2年4月8日(2020.4.8)
【手続補正１】
【補正対象書類名】明細書
【補正対象項目名】０００６
【補正方法】変更
【補正の内容】
【０００６】
本発明の実施例において、ネットワーク装置が送信した指示情報によって、異なるインタフェースで端末装置にアイドル状態に入らせ又は維持させることができる。
【手続補正２】
【補正対象書類名】明細書
【補正対象項目名】００２５
【補正方法】変更
【補正の内容】
【００２５】
本発明の実施例において、ネットワーク装置が送信した指示情報によって、アイドル状態のインタフェースを変更するように端末装置に指示する。
【手続補正３】
【補正対象書類名】明細書
【補正対象項目名】００５７
【補正方法】変更
【補正の内容】
【００５７】
一般性を失うことなく、端末装置130と中継装置140との間のリンクはアクセスリンクであり、中継装置140とネットワーク装置110との間のリンクは中継リンクであり、ネットワーク装置110と端末装置120との間のリンク、及びネットワーク装置110と端末装置130との間のリンクは直接リンクである。
【手続補正４】
【補正対象書類名】明細書
【補正対象項目名】００５９
【補正方法】変更
【補正の内容】
【００５９】
例えば、本発明の実施例による技術的手段は、グローバル移動体通信（Global System of Mobile communication、GSM）システム、符号分割多元接続(Code Division Multiple Access、CDMA)システム、広帯域符号分割多元接続(Wideband Code Division Multiple Access、WCDMA)システム、汎用パケット無線サービス(General Packet Radio Service、GPRS)システム、ロングタームエボリューション(Long Term Evolution、LTE)システム、LTE時分割複信（Time Division Duplex、TDD）システム、汎用移動体通信システム（Universal Mobile Telecommunication System、UMTS）等を含むが、これらに制限されない様々な通信システムに適用可能である。
【手続補正５】
【補正対象書類名】明細書
【補正対象項目名】００７１
【補正方法】変更
【補正の内容】
【００７１】
本発明の実施例において、ネットワーク装置が送信した指示情報によって、端末装置が適切なインタフェースを選択してアイドル状態に入り又は維持できることを指示する。
【手続補正６】
【補正対象書類名】明細書
【補正対象項目名】００８７
【補正方法】変更
【補正の内容】
【００８７】
PC5タイプとUuタイプのうち、該第1のインタフェースのタイプを確定するためのインタフェースパラメータ閾値又はインタフェースパラメータ閾値のセットを提供する。このとき、端末装置は、該第1のインタフェースのタイプを確定するためのインタフェースパラメータ閾値又はインタフェースパラメータ閾値のセットに基づいて、該第1のインタフェースのタイプを確定する必要がある。
【手続補正７】
【補正対象書類名】明細書
【補正対象項目名】００８９
【補正方法】変更
【補正の内容】
【００８９】
具体的に、該端末装置は少なくとも1つのPC5インターフェースに対応する少なくとも1つの数値のうち、最大値を第1の数値に確定し、該端末装置は少なくとも1つのUuインタフェースに対応する少なくとも1つの数値のうち、最大値を第2の数値に確定する。選択肢として、該第1の数値が該第1のインタフェースのタイプを確定するためのインタフェースパラメータ閾値以上であり、且つ該第2の数値が該第1のインタフェースのタイプを確定するためのインタフェースパラメータ閾値以下である場合、該端末装置は該第1のインタフェースのタイプがPC5タイプであることを確定する。選択肢として、該第1の数値が該第1のインタフェースのタイプを確定するためのインタフェースパラメータ閾値以下であり、且つ該第2の数値が該第1のインタフェースのタイプを確定するためのインタフェースパラメータ閾値以上である場合、該端末装置は該第1のインタフェースのタイプがUuタイプであることを確定する。選択肢として、該第1の数値が該第1のインタフェースのタイプを確定するためのインタフェースパラメータ閾値以上であり、且つ該第2の数値が該第1のインタフェースのタイプを確定するためのインタフェースパラメータ閾値以上である場合、該端末装置は該第1のインタフェースのタイプが、該第1の数値と該第2の数値のうちの最大値に対応するインタフェースのタイプであることを確定する。
【手続補正８】
【補正対象書類名】明細書
【補正対象項目名】０１３７
【補正方法】変更
【補正の内容】
【０１３７】
選択肢として、該処理ユニット520は具体的に、
該指示情報に基づいて、上記少なくとも1つのUuインターフェース及び/又は上記少なくとも1つのPC5インターフェースにおいて、該第1のインターフェースを確定し、該端末装置が該第1のインタフェースでアイドル状態に入り又は維持することに用いられる。
【手続補正９】
【補正対象書類名】明細書
【補正対象項目名】０１３８
【補正方法】変更
【補正の内容】
【０１３８】
選択肢として、該処理ユニット520は具体的に、
該指示情報に基づいて、UuタイプとPC5タイプにおいて、該第1のインタフェースのタイプを確定し、該第1のインタフェースのタイプで、該第1のインタフェースを確定することに用いられる。
【手続補正１０】
【補正対象書類名】明細書
【補正対象項目名】０１４３
【補正方法】変更
【補正の内容】
【０１４３】
選択肢として、該処理ユニット520は具体的に、
上記少なくとも1つのPC5インターフェースに対応する少なくとも1つの数値において最大値を第1の数値に確定し、上記少なくとも1つのUuインターフェースに対応する少なくとも1つの数値において最大値を第2の数値に確定し、該第1の数値が該第1のインタフェースのタイプを確定するためのインタフェースパラメータ閾値以上であり、且つ該第2の数値が該第1のインタフェースのタイプを確定するためのインタフェースパラメータ閾値以下である場合、該第1のインタフェースのタイプがPC5タイプであることを確定し、該第1の数値が該第1のインタフェースのタイプを確定するためのインタフェースパラメータ閾値以下であり、且つ該第2の数値が該第1のインタフェースのタイプを確定するためのインタフェースパラメータ閾値以上である場合、該第1のインタフェースのタイプがUuタイプであることを確定し、該第1の数値が該第1のインタフェースのタイプを確定するためのインタフェースパラメータ閾値以上であり、且つ該第2の数値が該第1のインタフェースのタイプを確定するためのインタフェースパラメータ閾値以上である場合、該第1のインタフェースのタイプが、該第1の数値と該第2の数値のうちの最大値に対応するインタフェースのタイプであることを確定することに用いられる。
【手続補正１１】
【補正対象書類名】明細書
【補正対象項目名】０１４７
【補正方法】変更
【補正の内容】
【０１４７】
選択肢として、該処理ユニット520は具体的に、
該第1のインタフェースを確定するためのインタフェースパラメータ閾値以上の数値に対応するインタフェースを、該第1のインタフェースとして確定することに用いられる。
【手続補正１２】
【補正対象書類名】特許請求の範囲
【補正対象項目名】全文
【補正方法】変更
【補正の内容】
【特許請求の範囲】
【請求項１】
端末装置はネットワーク装置が送信した指示情報を受信し、前記指示情報は、第1のインターフェース、前記第1のインターフェースのタイプ、前記第1のインターフェースのタイプを確定するための準則、少なくとも1つのインターフェースタイプで前記第1のインターフェースを確定するための準則、のうちの少なくとも1つを指示するためのものであることと、
前記端末装置は前記指示情報に基づいて前記第1のインタフェースでアイドル状態に入り又は維持することと、を含むことを特徴とするデータを送信する方法。
【請求項２】
前記端末装置は少なくとも1つのUuインターフェース及び/又は少なくとも1つのPC5インターフェースを有することを特徴とする請求項1に記載の方法。
【請求項３】
前記指示情報は、
前記第1のインタフェースのタイプがUuタイプであること、
前記第1のインタフェースのタイプがPC5タイプであること、
前記第1のインタフェースのタイプがUuタイプとPC5タイプであること、のいずれか1つを指示するためのものであることを特徴とする請求項1又は2に記載の方法。
【請求項４】
前記準則はインタフェースパラメータ閾値を含み、前記インタフェースパラメータ閾値は参照信号受信電力RSRP閾値又は参照信号受信品質RSRQ閾値であることを特徴とする請求項3に記載の方法。
【請求項５】
前記端末装置が前記指示情報に基づいて前記第1のインタフェースでアイドル状態に入り又は維持することは、
前記端末装置は前記指示情報に基づいて、前記少なくとも1つのUuインターフェース及び/又は前記少なくとも1つのPC5インターフェースにおいて、前記第1のインターフェースを確定することと、
前記端末装置は前記第1のインタフェースでアイドル状態に入り又は維持することと、を含むことを特徴とする請求項2〜4のいずれか1項に記載の方法。
【請求項６】
前記端末装置が前記指示情報に基づいて、前記少なくとも1つのUuインターフェース及び/又は前記少なくとも1つのPC5インターフェースにおいて、前記第1のインターフェースを確定することは、
前記端末装置は前記指示情報に基づいて、UuタイプとPC5タイプにおいて、前記第1のインタフェースのタイプを確定することと、
前記端末装置は前記第1のインタフェースのタイプで、前記第1のインタフェースを確定することと、を含むことを特徴とする請求項5に記載の方法。
【請求項７】
前記第1のインターフェースのタイプを確定するための準則は、
複数のインタフェースタイプのうち、前記第1のインタフェースのタイプを確定するためのインタフェースパラメータ閾値又はインタフェースパラメータ閾値のセットを含むことを特徴とする請求項1〜6のいずれか1項に記載の方法。
【請求項８】
前記複数のインタフェースタイプは、前記端末装置と前記ネットワーク装置との間のインタフェースタイプ、及び前記端末装置と他の端末装置との間のインタフェースタイプを含むことを特徴とする請求項7に記載の方法。
【請求項９】
前記複数のインタフェースタイプは、UuタイプとPC5タイプを含むことを特徴とする請求項7又は8に記載の方法。
【請求項１０】
前記少なくとも1つのインターフェースタイプで前記第1のインターフェースを確定するための準則は、
第1のインタフェースタイプの複数のインタフェースのうち、前記第1のインタフェースを確定するためのインタフェースパラメータ閾値を含むことを特徴とする請求項1〜9のいずれか1項に記載の方法。
【請求項１１】
前記第1のインターフェースタイプはPC5タイプであることを特徴とする請求項10に記載の方法。
【請求項１２】
前記第1のインタフェースのインタフェースパラメータは、前記第1のインタフェースを確定するためのインタフェースパラメータ閾値以上であることを特徴とする請求項10又は11に記載の方法。
【請求項１３】
前記指示情報は、前記第1のインタフェースが、特定周波数での特定タイプのインターフェース、特定無線アクセスタイプRATでのインターフェース、特定セルでのインターフェース、特定トラッキングエリアでの特定タイプのインターフェース、特定アドレス表記での特定タイプのインターフェース、という条件のうちの少なくとも1つを満たすインタフェースであることを指示するためのものであることを特徴とする請求項1〜12のいずれか1項に記載の方法。
【請求項１４】
前記端末装置がネットワーク装置の送信した指示情報を受信する前に、前記方法は更に、
前記端末装置は前記ネットワーク装置に測定レポートを送信し、前記測定レポートは、複数のインタフェースタイプでのインタフェースに対する前記端末装置の測定結果を含むことを含むことを特徴とする請求項1〜13のいずれか1項に記載の方法。
【請求項１５】
ネットワーク装置が送信した指示情報を受信することに用いられ、前記指示情報は、第1のインターフェース、前記第1のインターフェースのタイプ、前記第1のインターフェースのタイプを確定するための準則、少なくとも1つのインターフェースタイプで前記第1のインターフェースを確定するための準則、のうちの少なくとも1つを指示するためのものである、送受信ユニットと、
前記指示情報に基づいて前記第1のインタフェースでアイドル状態に入り又は維持することに用いられる処理ユニットと、を備えることを特徴とするデータを伝送する端末装置。
【国際調査報告】
2020519064.tif 000009
2020519064.tif 000010
2020519064.tif 000011
2020519064.tif 000012